(57)【要約】【課題】簡単な操作で話者の音声に適切な音声辞書を選択することができるカメラを提供する。【解決手段】音声辞書作成部１５５で複数の話者それぞれの音声辞書を作成するとともに各音声辞書と各話者を認識するための各シンボル画像との対応づけを行ないメモリカード２００に記憶しておき、音声辞書選択部１５７で画像表示ＬＣＤ１０２にシンボル画像一覧を表示させて所望のシンボル画像を選択してそのシンボル画像に対応する音声辞書を音声辞書メモリ１５６に格納し、音声制御部１５８で音声辞書メモリ１５６に格納された音声辞書を用いてマイクロホン１５１から入力された音声を認識して、音声に応じたカメラ制御を行なう。【選択図】　　　　図２
2004120526.tif 000002
【特許請求の範囲】
【請求項１】
被写体の撮影を行なうカメラにおいて、
音声をピックアップするマイクロホンと、
前記マイクロホンから入力された複数の話者それぞれの音声に基づき該音声の話者の音声上の特徴を抽出して該複数の話者それぞれの音声辞書を作成するとともに各音声辞書と各話者を認識するための各シンボル画像とを対応づける音声辞書作成部と、
画像を表示する画像表示部と、
前記画像表示部に前記シンボル画像一覧を表示させ、該シンボル画像一覧の中のいずれかのシンボル画像を操作により選択させることにより選択されたシンボル画像に対応する音声辞書を選択する音声辞書選択部と、
前記マイクロホンから入力された音声を前記音声辞書選択部により選択された音声辞書を用いて認識して認識された音声に応じた制御を行なう音声制御部とを備えたことを特徴とするカメラ。
【発明の詳細な説明】
【０００１】
【発明の属する技術分野】
本発明は、被写体の撮影を行なうカメラに関する。
【０００２】
【従来の技術】
従来より、入力された音声を認識して文字データに変換し、変換された文字列を撮影画像と合成して、その画像に対するコメントを表示することにより、多数の画像の中から所望の画像を容易に見つけ出すことができるカメラが提案されている（例えば、特許文献１参照）。
【０００３】
また、入力された音声の大きさ（アナログ量）に応じた分だけパン・チルト角等を変化させるカメラが提案されており、さらにこのカメラの変形例として複数のユーザのデフォルトの発声を登録しておき、登録されたデフォルトの発声と複数のユーザそれぞれの発声とを比較することにより、音声認識を行なう技術が提案されている（例えば、特許文献２参照）。
【０００４】
【特許文献１】
特開平９−２５２４５３号公報（段落番号００１７、第１図）
【特許文献２】
特開２０００−２８４７９４号公報（段落番号００１３−段落番号００２３、第１図、および段落番号００３４−段落番号００３７）
【０００５】
【発明が解決しようとする課題】
入力された音声を認識して各種の制御を行なうカメラにおいて、そのカメラを使用するユーザの音声に適切な音声辞書を用いて音声認識を行なうと、高い精度で音声認識を行なうことができる。しかし、特許文献１には、このような技術については提案されていない。また、特許文献２には、予め登録されたデフォルトの発声と複数のユーザそれぞれの発声とを比較することにより音声認識を行なう技術が提案されているものの、どのようにして複数のユーザの中から使用するユーザ（話者）を特定しその話者の音声に適切な音声辞書を選択するかというような技術は提案されていない。
【０００６】
本発明は、上記事情に鑑み、簡単な操作で話者の音声に適切な音声辞書を選択することができるカメラを提供することを目的とする。
【０００７】
【課題を解決するための手段】
上記目的を達成する本発明のカメラは、被写体の撮影を行なうカメラにおいて、
音声をピックアップするマイクロホンと、
上記マイクロホンから入力された複数の話者それぞれの音声に基づきその音声の話者の音声上の特徴を抽出して複数の話者それぞれの音声辞書を作成するとともに各音声辞書と各話者を認識するための各シンボル画像とを対応づける音声辞書作成部と、
画像を表示する画像表示部と、
上記画像表示部に前記シンボル画像一覧を表示させ、そのシンボル画像一覧の中のいずれかのシンボル画像を操作により選択させることにより選択されたシンボル画像に対応する音声辞書を選択する音声辞書選択部と、
上記マイクロホンから入力された音声を上記音声辞書選択部により選択された音声辞書を用いて認識して認識された音声に応じた制御を行なう音声制御部とを備えたことを特徴とする。
【０００８】
本発明のカメラは、複数の話者それぞれの音声上の特徴を抽出して複数の話者それぞれの音声辞書を作成するとともに、作成された各音声辞書と各話者を認識するための各シンボル画像との対応づけを行ない、音声制御にあたり、シンボル画像一覧の中からカメラ使用者である話者の音声に対応するシンボル画像を選択すれば済む。従って、話者の音声に適切な音声辞書を簡単に選択することができる。
【０００９】
【発明の実施の形態】
以下、本発明の実施形態について説明する。
【００１０】
図１は、本発明の一実施形態のカメラの外観図である。図１（ａ）は正面図、（ｂ）は上面図、（ｃ）は側面図、（ｄ）は背面図である。
【００１１】
図１（ａ）〜（ｄ）に示すカメラ１００は、被写体を撮像素子上に結像させてその被写体を表わす画像信号を取り込む撮影を行なうデジタルカメラである。また、このカメラ１００は、入力された音声を認識して種々の操作を行なうデジタルカメラである。
【００１２】
図１（ａ）に示すように、本実施形態のカメラ１００の正面には、撮影ズームレンズ１０１と、音声をピックアップするマイクロホン１５１が備えられている。このカメラ１００は、詳細は後述するが、マイクロホン１５１から入力された音声を認識し認識された音声に応じた、例えば上記撮影ズームレンズ１０１のズームアップ（テレ側への移動）やズームダウン（ワイド側への移動）等の音声制御を行なう。また、このカメラ１００の上部には、閃光を発光する閃光発光管１０５ａを有する閃光発光装置１０５が配備されている。
【００１３】
さらに、図１（ｄ）に示すように、カメラ１００の背面にはユーザがこのカメラ１００を使用するときに種々の操作を行なうための操作部１２０が設けられている。
【００１４】
この操作部１２０には、カメラ１００を作動させるための電源投入用の電源スイッチ１２１、撮影と再生とを自在に切り替える撮影・再生切替レバー１２２、オート撮影やマニュアル撮影等を選択するための撮影モードダイヤル１２３、各種のメニューの設定や選択あるいはズームを行なうための十字スイッチ１２４、閃光発光用のスイッチ１２５、および十字スイッチ１２４で選択されたメニューの実行を行なうための実行スイッチ１２６ａ，キャンセルを行なうためのキャンセルスイッチ１２６ｂが備えられている。
【００１５】
また、カメラ１００の背面には、撮影画像や再生画像等を表示するための画像表示ＬＣＤ１０２（本発明にいう画像表示部の一例に相当）と、操作の手助けを行なうための操作表示ＬＣＤ１０３と、スピーカ１５２とが備えられている。
【００１６】
さらに、図１（ｂ）に示すように、このカメラ１００の上面にはレリーズ釦１０４が配備されている。このレリーズ釦１０４によって撮影の開始指示がカメラ１００の内部に備えられた、後述するメインＣＰＵへと伝えられる。このカメラ１００では撮影・再生切替レバー１２２によって撮影と再生との切り替えが自在になっていて、撮影を行なうときにはユーザによって撮影・再生切替レバー１２２が撮影側１２２ａに切り替えられ、再生を行なうときには撮影・再生切替レバー１２２が再生側１２２ｂに切り替えられる。
【００１７】
さらに、図１（ｃ）に示すように、カメラ１００の側面には、このカメラ１００により撮影された被写体の画像信号をテレビやプロジェクタ等に出力するためのケーブルが接続される映像出力端子１０６と、このカメラ１００により撮影された被写体の画像信号をＵｎｉｖｅｒｓａｌ　Ｓｅｒｉａｌ　Ｂｕｓ（ＵＳＢ）端子が備えられたパーソナルコンピュータ等に出力し、およびこのようなパーソナルコンピュータ等からカメラ１００に画像信号を入力するためのケーブルが接続されるＵＳＢ端子１０７と、ＡＣアダプタからの直流電圧が入力される直流電圧入力端子１０８とが備えられている。
【００１８】
図２は、図１に示すカメラの回路構成を示すブロック図である。
【００１９】
このカメラ１００には、前述した撮影ズームレンズ１０１と、絞り１３１と、それら撮影ズームレンズ１０１および絞り１３１を経由して結像された被写体像をアナログの画像信号に変換する撮像素子であるＣＣＤセンサ１３２とが備えられている。ＣＣＤセンサ１３２は、そのＣＣＤセンサ１３２に照射された被写体光により発生した電荷を可変の電荷蓄積時間の間蓄積することにより画像信号を生成するものである。
【００２０】
また、このカメラ１００には、ＣＣＤセンサ１３２からのアナログ画像信号が表わす被写体像のホワイトバランスを合わせるとともにその被写体像の階調特性における直線の傾き（γ）を調整する白バランス・γ処理部１３３が備えられている。
【００２１】
さらに、カメラ１００には、白バランス・γ処理部１３３からのアナログ信号をデジタルの画像データにＡ／Ｄ変換するＡ／Ｄ部１３４と、そのＡ／Ｄ部１３４からの画像データを格納するバッファメモリ１３５が備えられている。
【００２２】
また、カメラ１００には、ＣＧ（クロックジェネレータ）部１３６と、測光・測距用ＣＰＵ１３７と、充電・発光制御部１３８と、ＹＣ処理部１４０と、電源１４１とが備えられている。
【００２３】
ＣＧ部１３６は、ＣＣＤセンサ１３２を駆動するための駆動信号、白バランス・γ処理部１３３，Ａ／Ｄ部１３４を制御するための制御信号を出力する。また、このＣＧ部１３６には、測光・測距用ＣＰＵ１３７からの制御信号が入力される。
【００２４】
測光・測距用ＣＰＵ１３７は、撮影ズームレンズ１０１，絞り１３１を図示しない手段で駆動することにより測光や測距を行ない、ＣＧ部１３６および充電・発光制御部１３８を制御する。さらに、この測光・測距用ＣＰＵ１３７は、後述するメインＣＰＵ１４５との間でデータ通信を行なう。
【００２５】
充電・発光制御部１３８は，閃光発光管１０５ａを発光させるために電源１４１からの電力の供給を受けて図示しない閃光発光用のコンデンサを充電したり、その閃光発光管１０５ａの発光を制御する。
【００２６】
ＹＣ処理部１４０は、バッファメモリ１３５に格納された画像データをバスライン１４２を介して読み出し、輝度信号（Ｙ）と色信号（Ｃ）に分離されたカラー映像信号ＹＣを生成する。生成されたカラー映像信号ＹＣは、映像出力端子１０６（図１（ｃ）参照）から出力される。
【００２７】
電源１４１は、このカメラ１００の各部に電力を供給する。
【００２８】
さらに、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００２９】
また、カメラ１００には、メインＣＰＵ１４５と、ＥＥＰＲＯＭ１４６と、ＹＣ／ＲＧＢ変換部１４７と、表示用のドライバ１４８とが備えられている。
【００３０】
メインＣＰＵ１４５は、このカメラ１００全体の制御を行なう。
【００３１】
ＥＥＰＲＯＭ１４６には、このカメラ１００固有の固体データ等が格納されている。
【００３２】
ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００３３】
さらに、カメラ１００には、前述したマイクロホン１５２と、フィルタ１５３と、Ａ／Ｄ部１５４と、音声辞書作成部１５５と、音声辞書メモリ１５６と、音声辞書選択部１５７と、音声制御部１５８とが備えられている。
【００３４】
マイクロホン１５２には、複数のユーザ（話者）からの音声が入力される。マイクロホン１５２から入力された複数の話者それぞれの音声は、アナログの電気信号に変換されてフィルタ１５３に向けて出力される。
【００３５】
フィルタ１５３は、マイクロホン１５２からのアナログの電気信号の、必要帯域以外の周波数成分を除去して、Ａ／Ｄ部１５４に向けて出力する。
【００３６】
Ａ／Ｄ部１５４は、フィルタ１５３からのアナログ電気信号をデジタル信号に変換する。
【００３７】
音声辞書作成部１５５は、Ａ／Ｄ部１５４からのデジタル信号に基づいて、複数の話者の音声上の特徴を抽出して複数の話者それぞれの音声辞書を作成するとともに各音声辞書と各話者を認識するための各シンボル画像とを対応づけて、メモリカード２００に記憶する。詳細については後述する。
【００３８】
音声辞書選択部１５７は、画像表示ＬＣＤ１０２にシンボル画像の一覧を表示させ、そのシンボル画像一覧の中のいずれかのシンボル画像を、操作部１２０の十字スイッチ１２４の操作により選択させることにより選択されたシンボル画像に対応する音声辞書を選択する。選択された音声辞書は、音声辞書メモリ１５６に格納される。
【００３９】
音声制御部１５８は、マイクロホン１５１から入力された音声を、音声辞書選択部１５７により選択され音声辞書メモリ１５６に格納された音声辞書を用いて認識し、認識された音声に応じた制御を行なう。ここで、音声制御の例について説明する。
【００４０】
本実施形態では、話者の基本的な言葉の入力による声紋が音声辞書メモリ１５６に格納される。ここで、基本的な言葉はカメラ１００の撮影時に使用される言葉と同じでもよく、あるいは関係のない言葉（例えば「あいうえお」等）でもよい。カメラ１００の撮影時に使用される言葉とカメラ１００の動作の関係の例としては、以下のものがある。
【００４１】
「撮影」と発音すると、カメラ１００ではシャッタレリーズ動作を行なう。また、「ズームアップ」と発音すると撮影ズームレンズ１０１をテレ側に移動し、「ズームダウン」と発音すると撮影ズームレンズ１０１をワイド側に移動する。さらに、「メニューオープン」と発音すると画像表示ＬＣＤ１０２上に設定画面を表示する。その状態で、「アップ」と発音するとメニュー選択項目をアップ（繰り上げ）し、「ダウン」と発音するとメニュー選択項目をダウン（繰り下げ）する。また、「セット」と発音するとメニュー選択項目を確定し、「キャンセル」と発音するとメニュー選択項目を取り消す。さらに、「再生」と発音すると撮影画像を再生し、「送り」と発音すると再生画像のコマ送りを行ない、「戻し」と発音すると再生画像のコマを１つ戻す。
【００４２】
図３は、メモリカードに記録された画像ファイルと音声辞書とを示す図である。
【００４３】
前述したように、音声辞書作成部１５５により、複数の話者の音声上の特徴が抽出されて複数の話者それぞれの音声辞書が作成されるとともに各音声辞書が各話者を認識するための各シンボル画像に対応づけられる。これら対応づけられた各音声辞書と各シンボル画像は、この図３に示すように、メモリカード２００に記憶される。ここでは、シンボル画像としての画像ファイル１とその画像ファイル１に対応づけられた音声辞書１とのペア、シンボル画像としての画像ファイル２とその画像ファイル２に対応づけられた音声辞書２とのペア等が記憶される。
【００４４】
本実施形態のカメラ１００は、複数の話者それぞれの音声上の特徴を抽出して複数の話者それぞれの音声辞書を作成するとともに、作成された各音声辞書と各話者を認識するための各シンボル画像との対応づけを行なっておき、そのカメラ１００の使用にあたっては、シンボル画像一覧の中からそのカメラ１００を使用するユーザに対応するシンボル画像を操作により選択し、そのユーザ（話者）に対応する音声辞書を選択して音声認識するものである。以下、詳細に説明する。
【００４５】
図４は、図３に示す画像ファイルからなるシンボル画像一覧を示す図である。
【００４６】
このシンボル画像一覧１６０は、家族のシンボル画像からなるものであり、画像表示ＬＣＤ１０２上に表示される。具体的には、「父親」のシンボル画像１６１（上記画像ファイル１に相当）と、「息子」のシンボル画像１６２（上記画像ファイル２に相当）と、「母親」のシンボル画像１６３と、「娘」のシンボル画像１６４とが表示されている。このような家族が音声でカメラ１００を操作する場合、先ず音声辞書を作成する必要がある。
【００４７】
図５は、本実施形態のカメラの、音声辞書作成ルーチンのフローチャートである。
【００４８】
ここでは、図４に示す「息子」のシンボル画像１６２用の音声辞書のファイルを作成する場合について説明するが、その他のシンボル画像１６１，１６３，１６４用の音声辞書のファイルを作成する場合についても同様である。
【００４９】
撮影・再生切替レバー１２２が再生側１２２ｂに切り替えられた状態で電源スイッチ１２１が押されてカメラ１００に電源が投入され、十字スイッチ１２４で個人設定モードが選択されて実行スイッチ１２６ａが操作されると、この音声辞書作成ルーチンが開始する。
【００５０】
先ず、ステップＳ１において、音声入力が許可されてステップＳ２に進む。ステップＳ２では、所定の単語（ここでは「息子」により発声される単語）が入力されたか否かが判定される。所定の単語が入力されない場合は、所定の単語が入力されるまでこのステップＳ２を繰り返し実行する。所定の単語が入力されたと判定された場合はステップＳ３に進む。
【００５１】
ステップＳ３では、音声の特徴を抽出してステップＳ４に進む。ステップＳ４では、音声辞書ファイルを作成する。
【００５２】
次に、ステップＳ５において、関連付ける画像ファイルを選択する。ここでは、図４に示すように、画像表示ＬＣＤ１０２にシンボル画像一覧１６０を表示しておき、「息子」のシンボル画像１６２を選択して、実行スイッチ１２６ａを操作する。すると、ステップＳ６において、音声辞書ファイルを画像ファイルと関連付けて記録メディアとしてのメモリカード２００に記録して、このルーチンを終了する。
【００５３】
図６は、本実施形態のカメラの、音声辞書選択ルーチンのフローチャートである。
【００５４】
ここでは、図４に示す「息子」のシンボル画像１６２用の音声辞書を選択する場合について説明する。
【００５５】
撮影・再生切替レバー１２２が再生側１２２ｂに切り替えられた状態で電源スイッチ１２１が押されてカメラ１００に電源が投入され、十字スイッチ１２４で個人特定モードが選択されて実行スイッチ１２６ａが操作されると、この音声辞書選択ルーチンが開始する。
【００５６】
先ず、ステップＳ２１において、記録メディア（メモリカード２００）から画像を読み込んでステップＳ２２に進む。ステップＳ２２では、画像一覧データ（シンボル画像一覧）を作成する。次に、ステップＳ２３において、画像一覧を再生してステップＳ２４に進む。
【００５７】
ステップＳ２４では、使用者の画像（ここでは「息子」の画像）が選択されたか否かが判定される。使用者の画像が選択されない場合は、使用者の画像が選択されるまでこのステップＳ２４を繰り返し実行する（具体的には、「息子」の画像が選択されるまで十字スイッチ１２４を操作する）。使用者の画像が選択されたと判定された場合は実行スイッチ１２６ａを操作することによりステップＳ２５に進む。
【００５８】
ステップＳ２５では、画像と関連付けられた音声辞書を読み込む。次に、ステップＳ２６において、カメラ本体の音声辞書格納場所（音声辞書メモリ１５６）に格納して、このルーチンを終了する。
【００５９】
図７は、本実施形態のカメラの、音声辞書メモリに格納された音声辞書を使って音声を認識して、そのカメラを制御するルーチンのフローチャートである。
【００６０】
撮影・再生切替レバー１２２が撮影側１２２ａに切り替えられた状態で電源スイッチ１２１が押されてカメラ１００に電源が投入されると、このルーチンが開始する。
【００６１】
先ず、ステップＳ３１において、音声入力モードが選択されたか否か（十字スイッチ１２４による選択）が判定される。音声入力モードが選択されない場合は、ステップＳ３７に進み、通常の操作を実行する。音声入力モードが選択されたと判定された場合はステップＳ３２に進む。
【００６２】
ステップＳ３２では、音声入力があるか否かが判定される。音声入力がないと判定された場合は、音声入力があるまでステップＳ３２を繰り返し実行する。音声入力があったと判定された場合はステップＳ３３に進む。ステップＳ３３では、音声辞書を利用して認識を行なう。
【００６３】
次に、ステップＳ３４において、有効なコマンド、即ち前述した「撮影」，「ズームアップ」等の音声であるか否かが判定される。有効なコマンドであると判定された場合はステップＳ３５においてそのコマンドを実行し、ステップＳ３１に戻る。一方、有効なコマンドではないと判定された場合はステップＳ３６において画像表示ＬＣＤ１０２に警告表示をしてステップＳ３１に戻る。
【００６４】
尚、本実施形態では、音声辞書作成部１５５が各音声辞書と各シンボル画像との対応づけを行なってメモリカード２００に記録する例で説明したが、本発明にいう音声辞書作成部は、各音声辞書と各シンボル画像との対応づけを行なうものであればよい。
【００６５】
また、本実施形態では、音声制御部１５８が音声辞書メモリ１５６に格納された音声辞書を用いて認識する例で説明したが、本発明にいう音声制御部は、音声辞書選択部により選択された音声辞書を用いて音声を認識するものであればよい。
【００６６】
【発明の効果】
以上説明したように、本発明のカメラによれば、簡単な操作で話者の音声に適切な音声辞書を選択することができる。
【図面の簡単な説明】
【図１】本発明の一実施形態のカメラの外観図である。
【図２】図１に示すカメラの回路構成を示すブロック図である。
【図３】メモリカードに記録された画像ファイルと音声辞書とを示す図である。
【図４】図３に示す画像ファイルからなるシンボル画像一覧を示す図である。
【図５】本実施形態のカメラの、音声辞書作成ルーチンのフローチャートである。
【図６】本実施形態のカメラの、音声辞書選択ルーチンのフローチャートである。
【図７】本実施形態のカメラの、音声辞書メモリに格納された音声辞書を使って音声を認識して、そのカメラを制御するルーチンのフローチャートである。
【符号の説明】
１００　カメラ
１０１　撮影ズームレンズ
１０２　画像表示ＬＣＤ
１０３　操作表示ＬＣＤ
１０４　レリーズ釦
１０５　閃光発光装置
１０５ａ　閃光発光管
１０６　映像出力端子
１０７　ＵＳＢ端子
１０８　直流電圧入力端子
１２０　操作部
１２１　電源スイッチ
１２２　撮影・再生切替レバー
１２３　撮影モードダイヤル
１２４　十字スイッチ
１２５　閃光発光用スイッチ
１２６ａ　実行スイッチ
１２６ｂ　キャンセルスイッチ
１３１　絞り
１３２　ＣＣＤセンサ
１３３　白バランス・γ処理部
１３４，１５４　Ａ／Ｄ部
１３５　バッファメモリ
１３６　ＣＧ部
１３７　測光・測距用ＣＰＵ
１３８　充電・発光制御部
１３９　通信制御部
１４０　ＹＣ処理部
１４１　電源
１４２　バスライン
１４３　圧縮・伸長＆ＩＤ抽出部
１４４　Ｉ／Ｆ部
１４５　メインＣＰＵ
１４６　ＥＥＰＲＯＭ
１４７　ＹＣ／ＲＧＢ変換部
１４８　ドライバ
１５１　マイクロホン
１５２　スピーカ
１５３　フィルタ
１５５　音声辞書作成部
１５６　音声辞書メモリ
１５７　音声辞書選択部
１５８　音声制御部
１６０　シンボル画像一覧
１６１，１６２，１６３，１６４　シンボル画像
２００　メモリカード
【図１】
2004120526.tif 000003
【図２】
2004120526.tif 000004
【図３】
2004120526.tif 000005
【図４】
2004120526.tif 000006
【図５】
2004120526.tif 000007
【図６】
2004120526.tif 000008
【図７】
2004120526.tif 000009